(57)【要約】【課題】輸送前の作業工数の増加や重量の増加を抑え、簡単な構成で梱包コストの低減や資源の節約を図るとともに、面状に製品を固定することで、強固かつ確実に製品を固定することができる固定具及び製品固定構造を提供する。【解決手段】底壁１３と底壁１３から立設される周壁１４とを備えたボックスパレット３に収容される製品２を固定することができる。ボックスパレット３に着脱可能に連結される連結部材５と、少なくとも１個のエア注入口６を有し、エア注入口６からのエア注入により、連結部材５に張力を付与し、この張力による締付けにて製品２を固定する袋体４とを備える。【選択図】図１
2008030778.tif 000002
【特許請求の範囲】
【請求項１】
エア注入口を有する帯状の袋体と、この袋体の長手方向両端を所定の固定部位に連結する連結部材とを備えたことを特徴とする固定具。
【請求項２】
袋体の内外両面を袋体の幅方向に線状に接合してなる絞り部を、袋体の長手方向に沿って複数形成したことを特徴とする請求項１の固定具。
【請求項３】
前記絞り部を被固定物のコーナ部に対応させたことを特徴とする請求項２の固定具。
【請求項４】
前記連結部材は、紐体と、この紐体に連結される結束具とを備えるとともに、袋体の長手方向両端部に、外周縁部が金属製リング体からなる挿通孔部を設け、この挿通孔部に前記紐体を挿通して、袋体と固定部位とを連結し、前記結束具にてこの紐体を長さ調節可能に維持することを特徴とする請求項１〜３のいずれかの固定具。
【請求項５】
底壁とこの底壁から立設される周壁とを備えたボックスパレットに収容される製品を固定する製品固定構造であって、
エア注入口を有する帯状の袋体と、この袋体の長手方向両端を前記ボックスパレットに着脱可能に連結する連結部材とを備え、
前記エア注入口からのエア注入により、前記連結部材に張力を付与し、この張力による締付けにて製品を固定するようにしたことを特徴とする製品固定構造。
【請求項６】
前記袋体を複数個設けたことを特徴とする請求項５の製品固定構造。
【請求項７】
前記袋体が接しない前記製品の背面とボックスパレットとの間に背当て板を配置したことを特徴とする請求項５又は６の製品固定構造。
【発明の詳細な説明】
【技術分野】
【０００１】
本発明は、ボックスパレット内に収容される製品を固定する固定具及び製品固定構造に関するものである。
【背景技術】
【０００２】
製品を輸送したり保管したりする際、ボックスパレットが用いられる場合がある。このボックスパレットは、矩形状の底壁と、底壁から垂直に立設された周壁とからなる。周壁は、鋼線を網目状、格子状等に組んで構成される場合が多い。
【０００３】
しかしながら、ボックスパレットの各部寸法は所定寸にして規格化する場合が普通であり、電気機器、家具、精密機器等の製品を、ボックスパレット内に収容しても周囲に隙間が空くため固定しにくい。このため、ボックスパレットにこれらのものを収容する場合、樹脂板、木板、ダンボール等からなる箱に製品を収納して固定していた（特許文献１、特許文献２）。また、箱を使用しない場合には、紐状のバンド部材を用いて製品を直接固定する方法もある。
【特許文献１】特開平５−１２４６４０号公報
【特許文献２】特開２００３−２００３９号公報
【発明の開示】
【発明が解決しようとする課題】
【０００４】
しかし、特許文献１及び特許文献２に記載されたような箱に製品を収納して固定する方法では、梱包作業及び開梱作業を必要とするため、作業工数が増加するとともに、全体の重量が大となる。さらに、梱包コストが大となる欠点があるとともに、箱を生産するための資源を消耗するため、資源問題や環境問題の観点からも好ましくない。
【０００５】
また、バンド部材を用いて製品を直接固定すると、局所的な固定しかできない。すなわち、バンド部材と製品との接触部は線状となって、接触面積は小となる。このため、安定した固定ができず、特に、キャスターを有する製品や、不安定な製品、脆弱製品を安定して固定することができないため、これらの製品を固定するには不向きであった。
【０００６】
本発明は、上記課題に鑑みて、輸送前の作業工数の増加や重量の増加を抑え、簡単な構成で梱包コストの低減や資源の節約を図るとともに、強固かつ確実に製品を固定することができる固定具及び製品固定構造を提供する。
【課題を解決するための手段】
【０００７】
本発明の固定具は、エア注入口を有する帯状の袋体と、この袋体の長手方向両端を所定の固定部位に連結する連結部材とを備えたものである。
【０００８】
本発明の固定具によれば、袋体に設けられたエア注入口からエアを注入すると、この袋体を膨張させることができる。
【０００９】
袋体の内外両面を袋体の幅方向に線状に接合してなる絞り部を、袋体の長手方向に沿って複数形成することができる。これにより、袋体にエアを注入することによって、複数のエアクッション部が形成される。
【００１０】
前記絞り部を被固定物のコーナ部に対応させることができる。これにより、絞り部を被固定物のコーナ部に対応させて密着させることができる。
【００１１】
前記連結部材は、紐体と、この紐体に連結される結束具とを備えるとともに、袋体の長手方向両端部に、外周縁部が金属製リング体からなる挿通孔部を設け、この挿通孔部に前記紐体を挿通して、袋体と固定部位とを連結し、前記結束具にてこの紐体を長さ調節可能に維持するものである。すなわち、前記紐体を孔部に挿通することにより袋体と固定部位とを連結することができる。また、結束具を調整することにより、製品のサイズに応じて連結部材の長さを調整することができる。
【００１２】
本発明の製品固定構造は、底壁とこの底壁から立設される周壁とを備えたボックスパレットに収容される製品を固定する製品固定構造であって、エア注入口を有する帯状の袋体と、この袋体の長手方向両端を前記ボックスパレットに着脱可能に連結する連結部材とを備え、前記エア注入口からのエア注入により、前記連結部材に張力を付与し、この張力による締付けにて製品を固定するようにしたものである。
【００１３】
本発明の製品固定構造によれば、袋体に設けられたエア注入口からエアを注入して、この袋体を膨張させることで、連結部材に張力が付与されて、この張力による締付けにて製品を固定することができる。
【００１４】
前記袋体を複数個設けることができる。これにより、袋体と製品との接触面積がより大となる。
【００１５】
前記袋体が接しない前記製品の背面とボックスパレットとの間に背当て板を配置することができる。ここで、前記背当て板は、樹脂発泡材等からなる緩衝材にて構成することができる。これにより、袋体が接しない製品の背面とボックスパレットとの間において、この背当て板が緩衝材となって、袋体が対応しない部位においても、製品とボックスパレットとが直接接触することを防止できる。
【発明の効果】
【００１６】
本発明の固定具は、連結部材を固定部位に連結した状態で、袋体にエアを注入して膨張させることができる。これにより、袋体と連結部材とが協働して被固定物を固定部位に固定することができる。しかも、袋体が膨張するので、エアクッション機能を有し、外部からの衝撃等による損傷を防止できる。
【００１７】
袋体にエアを注入することによって、複数のエアクッション部が形成される。これにより、袋体にエアを注入しても製品に密着する。さらには、エアの注入量を少量とすることができ、作業時間の短縮化を図ることが可能となる。
【００１８】
前記絞り部を製品のコーナ部に対応させることができる。これにより、絞り部を被固定物のコーナ部に対応させて密着させることができ、より安定して製品を固定することができる。
【００１９】
前記連結部材は、結束具と紐体とを備え、袋体の長手方向両端部に設けた挿通孔部に紐体が挿通される。これにより、連結部材に張力が付与されても、孔部の外周縁部は金属製リング体からなるので、この金属製リング体に応力が集中しても、袋体に亀裂が生じることがない。また、結束具を調整することにより、製品のサイズに応じて連結部材の長さを調整することができる。これにより、種々の製品（被固定物）サイズにも適用することができる。
【００２０】
本発明の製品固定構造は、袋体の長手方向両端部に配設された連結部材に張力が付与されて、この張力による締付けにて製品を固定することができるので、製品を収納するための箱等を省略することができる。これにより、輸送前の作業工数の増加や重量の増加を抑え、簡単な構成で梱包コストの低減や資源の節約を図ることができる。また、袋体を製品に接触するものであるので、袋体と製品との接触面積を大とすることができ、強固かつ確実に製品を固定することができる。さらに、この袋体をエアにより膨張させることで、エアクッション機能を有することにより、脆弱製品にも適用することができ、輸送時の衝撃から製品を保護することができる。
【００２１】
袋体を複数個設けることができるので、袋体と製品との接触面積が一層大となって、製品をより強固かつ確実に固定することができる。また、複数の袋体を設けているので、いずれかの袋体が損傷しても、他の袋体及び連結部材の締付けにて製品を固定することができるため、長期に亘って安定した固定が可能となる。
【００２２】
前記袋体が接しない前記製品の背面とボックスパレットとの間において、この背当て板が緩衝材となって、袋体が対応しない部位においても、製品とボックスパレットとが直接接触することを防止できる。これにより、輸送時に衝撃等が発生しても、あらゆる方向からの衝撃を緩和して、ボックスパレットとの接触による変形、及び傷の発生等を防止して、製品を保護することができる。
【発明を実施するための最良の形態】
【００２３】
以下本発明の実施の形態を図１〜図１１に基づいて説明する。
【００２４】
本発明の第１実施形態の製品固定構造は、図１に示すように、固定具１によってボックスパレット３内に収容される製品２を固定するものである。この固定具１は、図２に示すように、被固定物（製品）２に当接される袋体４と、前記袋体４の長手方向両端部に配設されて、固定部位であるボックスパレット３に連結される連結部材５とから構成される。
【００２５】
ボックスパレット３は、矩形状の底壁１３と、底壁１３に立設された周壁１４とを備える。周壁１４は、底壁１３の左右側辺の前端縁、底壁１３の左右側辺の前後方向中央部、及び底壁１３の左右側辺と後辺とのコーナ部及び底壁１３の後辺の中央部からそれぞれ支柱１５が立設され、これらの支柱１５間に格子状体（網状体）１９が張設されてなる。このため、周壁１４は、左右の側壁１７ａ、１７ｂと、後壁１８とを備える。なお、各支柱１５の上端縁には、水平方向連結バー２５が連結されている。また、底壁１３の下面にボックスパレット３を移動可能とするキャスター２４を設けている。
【００２６】
前記袋体４は、前記製品２に当接した状態で製品２を包囲することができる長さを有しており、製品２やボックスパレット等のサイズに応じてこの長さ及び幅を定めるものである。
【００２７】
袋体４は外側シート２０と内側シート２１とを備え、外側シート２０と内側シート２１との間にエアが注入されるエアクッション部８が形成される。すなわち、外側シート２０と内側シート２１はその外周縁部が接合されるとともに、所望の箇所において外側シート２０と内側シート２１とが線状に接合された幅方向に延びる絞り部７が形成される。
【００２８】
また、図２に示すように、袋体４の略中央部には、エアの注入を可能とするエア注入口６が設けられ、このエア注入口６から外周縁部及び絞り部７を除く部位にエアが注入される。そして、エア注入部位が膨張してエアクッション部８が形成される。なお、エア注入口６には図示省略するが、逆止弁が付設され、エアの注入は許容するが、エアの抜けを規制することができる。また、図２においては、絞り部７が長手方向に沿って所定ピッチで複数個配設されている。
【００２９】
図２や図３に示すように、袋体４の長手方向両端部に、外周縁部が金属製のリング体１０とされた挿通孔部９が設けられ、この挿通孔部９に前記連結部材５が挿通される。すなわち、袋体４の長手方向両端部に孔部を設けて、この孔部の外周縁に金属製のリング体１０を装着している。
【００３０】
前記連結部材５は、帯状の紐体１６と、この紐体１６に装着される結束具１１とから構成されている。前記結束具１１としては、例えば図４（ａ）〜（ｃ）のような公知の結束具を援用可能である。図４（ａ）は、雄部材３８に紐体１６の一端部が固着され、雌部材３７に紐体１６の他端部が連結されたバックルである。雄部材３８の一対の爪部を雌部材３７に挿入ロックし、ロック解除片３６を押してロックを解除するようになっている。
【００３１】
図４（ｂ）は、矩形状のリング体２８と、このリング体２８の孔部の一方の長辺３１から連設される一対の係止軸部２６、２７とを備える。紐体１６の一端の端部を、一方の係止軸部２６を介して折り返してその折り返し部２９をこの一方の係止軸部２６に係止させ、紐体１６の他端の端部を、他方の係止軸部２７を介して折り返してその折り返し部３０をこの一方の係止軸部２７に係止させる。
【００３２】
図４（ｃ）は、紐体１６の一端部が固着されたコの字型の枠体３３と、棒状の挿通棒３４とを備えるものである。この場合、紐体１６の他端部に所定ピッチで孔部３２を設けて、紐体１６の他端部を枠体３３に挿通するとともに、挿通棒３４を他端部に設けた孔部３２に挿通している。これによって、紐体１６にてループ部を形成することができる。
【００３３】
連結部材５の結束具１１としては、前述した三種以外にも既存の種々のものを使用することができる。紐体１６としても、帯状のものに限らず、断面円形の紐状体でもって構成することも可能である。また、紐体１６の材質としても、非伸縮性で、製品２を固定した際の張力に耐え得る強度を有するものを使用することができる。
【００３４】
次に、この固定具１の使用方法を説明する。この場合、被固定物としての製品２は、例えばコピー機等であって、前面と後面と左側面と右側面とを有する。まず、図５に示すように、ボックスパレット３の底壁１３に製品２を載置して、ボックスパレット３の後壁１８に対して製品２の後面が当接するように押し当てる。そして、袋体４を製品２の前面及び両側面に当接させた状態で、連結部材５にてこの袋体４とボックスパレット３とを連結する。すなわち、挿通孔部９に紐体１６を挿通して、紐体１６にて、袋体４とボックスパレット３の支柱１５とを連結するループ部を形成する。この場合、結束具１１を介して、そのループ部の長さ調整が可能であり、その長さを弛まない程度の長さとする。
【００３５】
この際、図１０に示すように、袋体４が接しない製品２の背面とボックスパレット３との間に介装される背当て板１２を設けることが可能である。なお、背当て板１２としては、例えば樹脂発泡材等からなる緩衝材により構成することができる。この背当て板１２としては、袋体４のように、エアが注入される袋体にて構成することも可能である。
【００３６】
その後、図１に示すように、袋体４に設けたエア注入口６から袋体４の内部にエアを注入することにより、この袋体４を膨張させる。これにより、袋体にエアクッション部８が形成されることになる。そして、この膨張により、袋体４の連結部材５（具体的には前記ループ部）に張力が付与されて、この張力による締付けにて製品２を固定することができる。
【００３７】
このように、本発明の固定具１は、袋体４に設けられたエア注入口６からエアを注入すると、この袋体４を膨張させることができる。これにより、袋体４と連結部材５とが協働して固定する被固定物への締付け力が向上して、被固定物を安定して固定することができる。しかも、袋体が膨張するので、エアクッション機能を有し、外部からの衝撃等による損傷を防止できる。
【００３８】
袋体４の長手方向両端部に配設された連結部材５に張力が付与されて、この張力による締付けにて製品２を固定することができるので、製品２を収納するための箱等を省略することができる。これにより、輸送前の作業工数の増加や重量の増加を抑え、簡単な構成で梱包コストの低減や資源の節約を図ることができる。また、袋体４を製品２に接触するものであるので、袋体４と製品２との接触面積を大とすることができ、強固かつ確実に製品２を固定することができる。さらに、この袋体４をエアにより膨張させることで、エアクッション機能を有することにより、脆弱製品にも適用することができ、輸送時の衝撃から製品２を保護することができる。
【００３９】
前記連結部材５は、結束具１１と紐体１６とを備え、袋体４の長手方向両端部に設けた挿通孔部９に紐体１６が挿通される。これにより、連結部材５に張力が付与されても、孔部の外周縁部は金属製リング体１０からなるので、この金属製リング体１０に応力が集中しても、袋体４に亀裂が生じることがない。また、結束具１１を調整することにより、製品２のサイズに応じて連結部材５の長さを調整することができる。これにより、種々の製品サイズにも適用することができる。
【００４０】
前記連結部材５としては、紐体１６と、この紐体１６に連結される結束具１１とを備えたものであって、紐体１６とボックスパレット３を簡単かつ確実に連結することができ、しかも、図４に示すように、結束具１１として既存の種々のものを使用でき、汎用性に優れ、コスト低減に寄与する。
【００４１】
前記したように、袋体４が接しない製品２の背面とボックスパレット３との間に背当て板１２を配置することができる。これにより、前記背当て板１２が緩衝材となって、袋体４が対応しない部位においても製品２とボックスパレット３とが直接接触することを防止できる。すなわち、輸送時に衝撃等が発生しても、ボックスパレット３との接触による変形、及び傷の発生等を防止して、製品２を保護することができる。
【００４２】
ところで、絞り部７としては、図６に示すように、絞り部７の幅方向長さが大となる箇所を複数個設けてもよい。この場合、図７に示すように、この絞り部７を製品２のコーナ部（例えば、前面と側面とのコーナ部）に対応させる。これにより、絞り部７を被固定物のコーナ部に対応させて密着させることができ、より安定して製品を固定することができる。さらには、エアの注入量を少量とすることができ、作業時間の短縮化を図ることが可能となる。
【００４３】
また、ボックスパレット３に支柱１５と直交する水平方向枠３９を有するものであれば、図８のように、この水平方向枠３９と紐体１６とを係止させることができる。すなわち、一本の紐体１６を２つの孔部９に挿通して、結束具１１にて紐体１６の両端側を連結することにより、固定具１にて製品２をボックスパレット３に固定することができる。
【００４４】
次に、図９は第２実施形態を示し、この場合、複数の袋体４にて製品固定構造１を構成している。すなわち、一対の袋体４を上下に配置している。なお、図９においては、２枚の袋体４を一体的に接合して１枚の製品固定構造を形成しているが、分離していてもよく、また、２枚に限られるものではない。
【００４５】
このため、第２実施形態の製品固定構造１は、袋体４と製品２との接触面積が一層大となって、製品２をより強固かつ確実に固定することができる。また、複数の袋体４を設けているので、いずれかの袋体４が損傷しても、他の袋体４及び連結部材５の締付けにて製品２を固定することができるため、長期に亘って安定した固定が可能となる。
【００４６】
なお、ボックスパレット３としては、図１１に示すように、支柱１５の所定位置にクリップ部２３やストッパ２２を設けることができる。すなわち、前記クリップ部２３により袋体４の長手方向両端部を挟持して、前記ストッパ２２により、紐体１６が上下方向にずれるのを防止することができる。
【００４７】
以上、本発明の実施形態につき説明したが、本発明は前記実施形態に限定されることなく種々の変形が可能であって、例えば、袋体４の材質としては、エアの注入により膨張するものであれば、生地、ポリエチレン、ナイロン、ポリエステル等種々のものを使用することができる。袋体４の長手方向両端部に孔部９を設けることなく、袋体４に連結部材５等を縫い付ける等して一体的に形成してもよい。また、結束具１１としても、紐体１６を介して袋体４とボックスパレット３との連結が可能であって、かつ袋体４の膨張時の張力に耐えうるものであれば、ナスカンやＳカン等の他の端末金具であってもよい。また、結束具１１を省略してもよい。この場合、紐体１６の一端部と他端部とを結んだり、面ファスナにより一端部と他端部とを固定することもできる。図４に示すような結束具１１に代えて、一端部にフック部材を設けて、このフック部材を支柱１５に係止させるようにしてもよい。フック部材を使用する場合にも、紐体１６の長さを調整できるようにするのが望ましい。さらには、エア注入口６、連結部材５、及び絞り部７の位置や数も、種々変更することが可能である。ボックスパレット３としては、前記実施形態では、周壁１４が左右の側壁１７ａ、１７ｂと後壁１８とからなるものであったが、前壁を有するものであってもよく、その構造は、固定式、取外し式、折り畳み式、側面開閉式、ふた付きのもの等種々のものを採用することができる。また、周壁１４としては、格子状のものに限られず、板状のものであってもよい。さらに、背当て板１２の大きさ、厚さ、形状、及び材質としては種々のものを採用することができる。なお、背当て板１２を省略することも可能である。
【００４８】
製品２をボックスパレット３の周壁１４に押し当てる場所は、後壁１８に限られず、側壁１７ａ、１７ｂに押し当ててもよく、押し当てる壁としても、１壁に限られず、製品２のコーナ部と、ボックスパレット３のコーナ部とを対応させることによって、２壁や３壁とすることができる。また、矩形面状袋体４の製品２への当接部位としても、製品２の前面と右側面、製品２の前面と左側面の２面であってもよく、製品２の前面、右側面、及び左側面のいずれか１面であってもよい。さらに、製品２はコピー機に限られず、形状としても前面、後面、右側面、左側面を有するものではなく、曲面や凹凸のあるものであってもよい。
【００４９】
前記実施形態においては、各エアクッション部８は連通するものであったが、連通しない独立のものであってもよい。この場合、独立した複数の気室（エアクッション部８）を設け、それぞれの気室毎にエア注入口６を設ける必要がある。このように、エアクッション部８を独立させれば、使用に際しては、製品２に応じて所望のエアクッション部８のみを膨張させることも可能である。
【００５０】
この固定具１は、ボックスパレットに限らず、何らかの物品(被固定物)を固定する場合に、連結部材５を固定部位に連結することができる部位において使用することができる。
【図面の簡単な説明】
【００５１】
【図１】本発明の第１実施形態を示す製品固定構造の斜視図である。
【図２】前記本発明の固定具の簡略正面図である。
【図３】前記図１の要部拡大側面図である。
【図４】前記固定具の連結部材を示し、（ａ）は第１の連結部材の要部拡大図であり、（ｂ）は第２の連結部材の要部拡大図であり、（ｃ）は第３の連結部材の要部拡大図である。
【図５】ボックスパレットに製品を載置した状態の斜視図である。
【図６】固定具の変形例の簡略正面図である。
【図７】図６に示す固定具を使用した要部拡大簡略平面図である。
【図８】固定具の他の変形例の簡略断面図である。
【図９】本発明の第２実施形態の製品固定構造に使用する固定具の簡略正面図である。
【図１０】前記背当て板を使用した場合の製品固定構造の斜視図である。
【図１１】前記他のボックスパレットの要部拡大側面図である。
【符号の説明】
【００５２】
１     固定具
２     製品
３     ボックスパレット
４     袋体
５     連結部材
６     エア注入口
７     絞り部
８     エアクッション部
９     孔部
１０   金属製リング体
１１   結束具
１２   背当て板
１３   底壁
１４   周壁
１５   支柱
１６   紐体
１７ａ、１７ｂ   側壁
１８   後壁
１９   格子状体
２０   外側シート
２１   内側シート
２２   ストッパ
２３   クリップ部
２４   キャスター
２５   連結バー
２６、２７   係止軸部
２８   リング体
２９、３０   折返し部
３１   長辺
３２   孔部
３３   枠体
３４   挿通棒
３６   ロック解除片
３７   雌部材
３８   雄部材
３９   水平方向枠
【図１】
2008030778.tif 000003
【図２】
2008030778.tif 000004
【図３】
2008030778.tif 000005
【図４】
2008030778.tif 000006
【図５】
2008030778.tif 000007
【図６】
2008030778.tif 000008
【図７】
2008030778.tif 000009
【図８】
2008030778.tif 000010
【図９】
2008030778.tif 000011
【図１０】
2008030778.tif 000012
【図１１】
2008030778.tif 000013